(57)【特許請求の範囲】
【請求項１】
原稿を画像表示する表示器に、カメラレンズ部の前方において上記表示器の画像を被撮影者側へ反射させるハーフミラーを取り付けるためのアタッチメントであって、上記ハーフミラーを回動可能な状態で保持する支持板と、上記ハーフミラーを回動させて所定位置で固定するための回動操作部材と、上記支持板に折畳み自在となる状態で取り付けられ、上記ハーフミラー及びカメラレンズ部の先端側の周囲を遮光する遮光体と、からなるプロンプター装置用ハーフミラーアタッチメント。
【発明の詳細な説明】
【０００１】
【発明の属する技術分野】
本発明は、特に放送用、業務用のテレビカメラ等に適用されるプロンプター装置に用いられるハーフミラーアタッチメントの構成に関する。
【０００２】
【従来の技術】
プロンプター装置は、ニュースキャスター、司会者、出演者等に必要な原稿（ニュース原稿、台詞、注意書き等の各種の原稿）を、これらの被撮影者へ見せるための装置であり、この装置として、例えば図１２に示されるものがある。図１２において、テレビカメラ１のレンズ部２の前方にハーフミラー３が配置され、このハーフミラー３の下側に、透過型液晶表示板４が設けられており、この液晶表示板４には、ビデオカメラ５で撮影した原稿６の画像が表示されるようになっている。従って、液晶表示板４に表示された画像はハーフミラー３に映し出される。
【０００３】
このようなプロンプター装置によれば、ニュースキャスター７等はレンズ部２の手前にあるハーフミラー３上に映し出された原稿を読むことが可能となり、これによってニュース解説等が行われる。同時に、ニュースキャスター７等はハーフミラー３を介してレンズ部２で撮影されており、これによってニュースキャスター７の視線が常にレンズ部２の正面を向いた状態となる。
【０００４】
【発明が解決しようとする課題】
ところで、上記のプロンプター装置では、原稿を撮影してハーフミラー３へ映し出すために、ハーフミラー３、液晶表示板４、ビデオカメラ５等を用いており、テレビカメラ１を野外等に移動させて撮影を行う場合には、これらの部材を含めた装置類の持運び（搬出入）が容易にできず、スタジオ以外の場所での撮影では不便となるという問題があった。
【０００５】
そこで、本出願人は画像メモリを備えた表示器をレンズ部２の外周近傍（上側又は下側等）に配置できるようにし、このレンズ部２で捉えた原稿の画像情報を上記メモリに記憶させ、必要に応じて原稿を表示器へ画像表示するものを提案している（後述の図８）。これによれば、上記のハーフミラー３、ビデオカメラ５等が不要となり、持運びが容易となり、テレビカメラ１を肩に担いだ状態でプロンプター装置を用いることも可能となる。
【０００６】
しかしながら、このプロンプター装置を用いて、ニュース報道等のためにスタジオ撮影をする場合は、図１２で示したように、レンズ部２の前方にハーフミラー３を配置する構成を採用した方がよい場合がある。即ち、このハーフミラー３を用いたときは、レンズ部２の光軸に被撮影者の視線を完全に一致させることができるという利点があり、このような構成での撮影が要請されることも多い。
【０００７】
本発明は上記問題点に鑑みてなされたものであり、その目的は、画像メモリ付きの表示器に、レンズ部の光軸に被撮影者の視線を一致させるためのハーフミラーが取付け可能となり、しかもこの取付け及び取扱いが容易となるプロンプター装置用ハーフミラーアタッチメントを提供することにある。
【０００８】
【課題を解決するための手段】
上記目的を達成するために、本発明に係るプロンプター装置用ハーフミラーアタッチメントは、原稿を画像表示する表示器に、カメラレンズ部の前方において上記表示器の画像を被撮影者側へ反射させるハーフミラーを取り付けるためのアタッチメントであって、上記ハーフミラーを回動可能な状態で保持する支持板と、上記ハーフミラーを回動させて所定位置で固定するための回動操作部材と、上記支持板に折畳み自在となる状態で取り付けられ、上記ハーフミラー及びカメラレンズ部の先端側の周囲を遮光する遮光体と、からなることを特徴とする。
【０００９】
作用
上記の構成によれば、原稿表示器は、例えばカメラレンズ部の前方の上側において下向きで配置され、この表示器の下側に、半蝶番部材や磁石体等によって上記支持板がワンタッチで取り付けられる。また、この支持板に取り付けられている遮光体は、合成皮革等からなり、この遮光体が袋状に広げられた状態でその後側にレンズ部の先端がセットされる。そして、上記回動操作部材を操作し、ハーフミラーを４５度程度傾けて固定することにより、ハーフミラーがレンズ部の光軸上にセットされる。一方、撮影が終了した後には、支持板を表示器から外すと共に、ハーフミラーを支持板と平行となる位置まで戻せば、遮光体を折り畳むことができ、アタッチメントを小さく収納することが可能となる。
【００１０】
【発明の実施の形態】
図１〜図４には、実施形態の第１例に係るプロンプター装置用ハーフミラーアタッチメントの構成が示され、図５〜図７にはテレビカメラにハーフミラーアタッチメントを装着した状態が示され、図８にはハーフミラーアタッチメントを用いない使用状態が示されている。まず、図５及び図８によりテレビカメラの全体構成を説明する。図５において、カメラ本体１０はレンズ部１２を有し、下側には凹部形状の肩当て部１３が設けられており、現地中継等ではこの肩当て部１３を利用してカメラ本体１０を担ぐことができる。しかし、当該例はスタジオ等で用いる場合を想定しており、カメラ本体１０は支持台１４に固定される。また、カメラ本体１０の上部にはグリップ部１５が設けられている。
【００１１】
上記グリップ部１５には、支持アーム１６が取付け用ネジ１７で固定されており、この支持アーム１６は図示のように、回動可能なアーム１６Ａ，１６Ｂとスライド可能なアーム１６Ｃから構成され、アーム１６Ｂ，１６Ｃには案内溝１８が設けられ、各アーム１６Ａ，１６Ｂ，１６Ｃの連結部分には固定用ネジ１９Ａ，１９Ｂ，１９Ｃが配置される。そして、上記アーム１６Ｃの先端部にコ字状の保持枠２０が取付け用ネジ２１で固定されており、この保持枠２０に表示器２２が保持される。即ち、この保持枠２０は、図７にも示されるように、表示器２２の両側面の軸２３を回転自在に支持しており、この軸２３に取り付けられた固定用ネジ２４で、表示器２２は任意位置で固定される。
【００１２】
この表示器２２は、図８（Ａ）に示されるように、原稿の画像を表示するために、液晶表示板等からなる表示部２６を有し、この表示部２６の上側にはリモート操作部からの赤外線を受光する赤外線センサ２７が設けられる。また、図５に示されるように、同様の赤外線センサ２８が表示器２２の上面に設けられており、この赤外線センサ２８はハーフミラーアタッチメントの使用時にリモート操作部からの赤外線受光を補助するために配置される。これらの赤外線センサ２７，２８の出力は、内部のＣＰＵ等へ入力され、これによってリモート操作による原稿の頁めくり等が行われる。
【００１３】
更に、表示器２２の裏側にはハーフミラー使用時に画像をミラー画像へ変換させるための切換えスイッチ３０が設けられる。即ち、表示器２２内には、画像メモリやＣＰＵ等が設けられ、この画像メモリ内に、カメラ本体１０で撮影した原稿の映像情報を記憶することによって、この原稿の画像が上記表示部２６へ画像表示される。しかし、ハーフミラーを用いる場合は、この原稿の画像をミラー画像に反転させて、表示部２６へ表示する必要がある。従って、実施形態例では上記切替えスイッチ３０の動作に基づいて、上下が反転するミラー画像を画像メモリから読み出すように制御している。
【００１４】
そして、図５〜図７に示されるように、上記表示器２２の表示面側にハーフミラーアタッチメント３２が取り付けられる。このハーフミラーアタッチメント３２は、図１及び図２に示されるように、末広がり形状の金属板に、上記表示器２２の表示部２６の大きさに対応した開口３３を形成した支持板３４を有し、この支持板３４にハーフミラー３５が回動自在に取り付けられる。そして、このハーフミラー３５は２個の操作ツマミ３６，３７によって回動操作される。
【００１５】
即ち、このハーフミラー３５は２個の操作ツマミ３６，３７の軸部に軸支されており、周知の各種機構によってハーフミラー３５を回動し、かつ所定位置で固定することができる。例えば、一方の操作ツマミ３６を固定用ネジ部材とし、他方の操作ツマミ３７をハーフミラー３５と一体に回動するように構成し、また軸部にはハーフミラー３５が支持板３４と平行になる収納位置と４５度の傾斜位置で停止するストッパ機構を設ける。これによれば、操作ツマミ３７によりハーフミラー３５を所定位置まで回動させた後、操作ツマミ３６によりその回動位置でハーフミラー３５を固定することができる。
【００１６】
また、ラチェット機構を用いることもでき、例えば上記操作ツマミ３６，３７の軸部（一方のみでもよい）と支持板３４側の軸部との間に、フェースラチェットの噛み合い部を形成してもよい。これによれば、操作ツマミ３６，３７を外側へ引っ張ることによりラチェットの噛み合いを外し、その操作ツマミ３６，３７を動かしながら、ハーフミラー３５を所定位置まで回動させることができ、この位置で操作ツマミ３６，３７を内側へ押し込めば、ラチェットを噛み合わせてハーフミラー３５を固定することができる。上記において、ハーフミラー３５の収納位置と４５度の傾斜位置では、バネで付勢されたボールやピンが係止溝に係止するようなストッパ機構を採用することもでき、ハーフミラー３５の回動及び固定の機構としては各種の機構が適用できる。
【００１７】
また、上記支持板３４には、前面のみを開けてハーフミラー３５全体を覆う遮光体３８が設けられる。この遮光体３８は、合成皮革からなり、支持板３４の上面にネジ等で取り付けられ、その側面部には図示のような折り目Ｅが付けられており、この折り目Ｅによって支持板３４側に簡単に折り畳めるようになる。そして、図２に示されるように、遮光体３８の後側には、上述したレンズ部１２の先端側を挿入するための孔部３９が設けられ、この孔部３９はゴム等を用いて伸縮自在に形成され、かつその外周はベッチン等で作られる。
【００１８】
更に、この第１例では上記支持板３４の上面に、このアタッチメント３２の取付け部材として、半蝶番４１と小さな金属板４２が２個ずつ配置される。一方、図８（Ａ）に示されるように、表示器２２の上面内側には上記半蝶番４１と結合する半蝶番４３が２個配置され、側面下側にマグネット４４が２個配置される。即ち、図３（Ａ）に示されるように、上記半蝶番４１には軸４５が設けられ、この軸４５を嵌合させる軸受け４６が半蝶番４３に配置される。これによれば、図３（Ｂ）に示されるように、軸４５が軸受け４６に嵌合することにより両半蝶番４１と４３が結合し、このときマグネット４４には金属板４２が接着することになり、これによってハーフミラーアタッチメント３２が表示器２２に取り付けられる。
【００１９】
第１例は以上の構成からなり、以下にその作用を説明する。まず、ハーフミラーアタッチメント３２を装着しない場合は、図８に示される状態となり、ここでは、レンズ部１２の先端にレンズフード４８が配置され、表示器２２の前面にもフード４９が取り付けられる。この場合は、レンズ部１２の撮影レンズ５０の真上に表示器２２が配置され、その表示部２６に表示された原稿を読むことが可能となる。このような装置は、現地における中継、あるいは野外での撮影等に有効に用いられる。
【００２０】
一方、ハーフミラーアタッチメント３２を装着する場合は、図５〜図７に示されるように、まず上記レンズフード４８及びフード４９が取り外され、表示器２２の表示面（２６）が下側を向くように表示器２２が９０度回転させられる。また、支持アーム１６のアーム１６Ｂと１６Ｃを伸ばすことによって、表示器２２がレンズ部１２よりも前側へ動かされる。そして、上述した支持板３４上の２個の半蝶板４１を表示器２２側の半蝶板４３に結合させ、その後、金属板４２をマグネット４４に接着させることにより、ハーフミラーアタッチメント３２が図示される状態で表示器２２に取り付けられる。このとき、遮光体３８は下側に袋状に広げられ、後側の孔部３９内にレンズ部１２の先端を挿入することにより、遮光体３８がセットされる。また、上記操作ツマミ３６，３７の操作により、ハーフミラー３５を回動させ、４５度程度傾けて固定すれば、ハーフミラー３５のセットが完了する。
【００２１】
図７には、上記表示器２２及びハーフミラーアタッチメント３２を正面から見た図が示されており、この場合は、レンズ部１２の撮影レンズ５０に重なるハーフミラー３５の上に表示部２６の投影像１００が表示されることになり、この投影像１００に表示された原稿を読むことが可能となる。即ち、表示器２２の切換えスイッチ３０の切換え動作に基づいて、原稿のミラー画像（上下の反転画像）が画像メモリから読み出され、表示部２６上に表示される。そうすると、この表示部２６の表示像は、ハーフミラー３７で反転表示され、これによって被撮影者には正常な原稿が認識されることになる。このような構成のプロンプター装置は、スタジオ等においてカメラ本体１０を支持台１４に配置する場合等に有効に用いられる。
【００２２】
そして、図４に示されるように、撮影が終了した後は、ハーフミラーアタッチメント３２を表示器２２から取り外し、ハーフミラー３５を支持板３４と平行となる収納位置まで動かし、遮光体３８を折り畳むことによって、小さく収納することが可能となる。このようなハーフミラーアタッチメント３２によれば、収納・保管に便利であると共に、持ち運びも容易となる利点がある。
【００２３】
なお、上記ハーフミラーアタッチメント３２の取付けでは、上記の半蝶板４１，４３等の取付け部材以外に、爪状部材を係止ピン等に引っ掻けるような固定具を追加して（又は独立で）用いることも可能であり、ワンタッチ装着が可能なその他の取付け部材を採用することができる。
【００２４】
図９〜図１１には、第２例の構成が示されており、この第２例はアタッチメントをアーム側に着脱自在としたものである。即ち、上記第１例の半蝶板４１及び金属板４２の代りに、図９に示されるように、ハーフミラーアタッチメント５２では支持板３４の開口３３の両端に２個の取付け具５３を配置しており、その他の構成は、上記第１例の構成と同様とされる。そして、この取付け具５３は、先端がフック形状とされ、このフック形状の先端部を表示器２２の保持のための軸２３に取り付けるようになっている。なお、この取付け具５３は支持板３４側に折畳める構造としてもよい。
【００２５】
図１０及び図１１には、第２例のハーフミラーアタッチメント５２を取り付けた状態が示されている。図１１に示されるように、上記の取付け具５３の先端フック部を表示器２２に配置された軸２３に、保持枠２０と共に配置し、固定用ネジ２４で締め付けることにより、アタッチメント５２を装着することができる。
【００２６】
なお、上述したハーフミラーアタッチメント（３２，５２）は、アーム１６Ａ，１６Ｂ，１６Ｃに直接接続したり、またレンズ部１２やカメラ本体１０等に直接接続することも可能であり、この場合は該当部への取付け部材をアタッチメントに設ければよいことになる。
【００２７】
上記実施形態例では、遮光体３８を合成皮革で形成したが、この遮光体３８としては、折畳み可能なものであれば、例えば布状のもの、アクリル板等の硬質材料を組立てたもの等を用いることができる。また、上記例では表示器２２をレンズ部１２の上側に配置した例を示したが、この表示器２２はレンズ部１２の下側や左右側へ配置する構成としてもよく、この場合は遮光体３８の骨部を適宜追加することにより、同様に上記ハーフミラーアタッチメント３２を表示器２２の所定位置に配置することができる。
【００２８】
【発明の効果】
以上説明したように、本発明によれば、原稿表示器にハーフミラーを取り付けるためのアタッチメントで、上記ハーフミラーを回動可能な状態で保持する支持板と、上記ハーフミラーを回動させて所定位置で固定するための回動操作部材と、上記支持板に折畳み自在となる状態で取り付けられ、上記ハーフミラー及びカメラレンズ部の先端側の周囲を遮光する遮光体と、から構成するようにしたので、現地撮影等が容易となる画像メモリ付きの表示器に、レンズ部の光軸に被撮影者の視線を一致させるためのハーフミラーが取付け可能となる。しかも、この取付けがワンタッチで行えると共に、折り畳んで小さく収納されるので、収納・保管に便利であると共に、持ち運びも容易となる利点がある。
【図面の簡単な説明】
【図１】本発明の実施形態の第１例に係るプロンプター装置用ハーフミラーアタッチメントの構成を正面側から示した斜視図である。
【図２】第１例のハーフミラーアタッチメントを後側から示した斜視図である。
【図３】第１例のハーフミラーアタッチメントの取付け部材を示す図で、図（Ａ）は結合前の図、図（Ｂ）は結合後の図である。
【図４】第１例のハーフミラーアタッチメントを折り畳んで収納した状態を示す図である。
【図５】第１例のハーフミラーアタッチメントをテレビカメラに取り付けた状態を示す側面図である。
【図６】図５のハーフミラーアタッチメント（ハーフミラーは収納位置にある）の上面図である。
【図７】図５のハーフミラーアタッチメント近傍の正面図である。
【図８】実施形態例においてハーフミラーアタッチメントを取り外した状態のレンズ部及び表示器を示す図で、図（Ａ）は正面図、図（Ｂ）は側面図である
【図９】実施形態の第２例のハーフミラーアタッチメントの構成を示す斜視図である。
【図１０】第２例のハーフミラーアタッチメントをテレビカメラに取り付けた状態を示す側面図である。
【図１１】図１０のハーフミラーアタッチメント近傍の正面図である。
【図１２】従来のプロンプター装置の使用状態を示す図である。
【符号の説明】
１，１０  …  カメラ本体、
２，１２  …  レンズ部、
２２  …  表示器、
２６  …  表示部、
３０  …  切換えスイッチ、
３２，５２  …  ハーフミラーアタッチメント、
３４  …  支持板、
３５  …  ハーフミラー、
３６，３７  …  操作ツマミ、
３８  …  遮光体、
４１，４３  …  半蝶番、
４４  …  マグネット、
５３  …  取付け具。
【図１】
0003567033.tif 000002
【図２】
0003567033.tif 000003
【図３】
0003567033.tif 000004
【図４】
0003567033.tif 000005
【図５】
0003567033.tif 000006
【図６】
0003567033.tif 000007
【図７】
0003567033.tif 000008
【図８】
0003567033.tif 000009
【図９】
0003567033.tif 000010
【図１０】
0003567033.tif 000011
【図１１】
0003567033.tif 000012
【図１２】
0003567033.tif 000013